(57)【要約】【課題】リモコン本体の後壁部に設けられた係止用孔部を介してリモコン本体内に虫が進入するといった虞を、簡易な手段によって適切に防止することが可能な壁面設置型のリモコンを提供する。【解決手段】壁面設置型のリモコンＡ１は、リモコン本体５の後壁部４０のうち、係止用孔部４５の周囲から前方に向けて突出し、かつ係止用孔部４５の前方領域の周囲を囲む先端開口状の第１の筒状突出部４１を備えており、この第１の筒状突出部４１の先端は、回路基板１またはこの回路基板１とは別にリモコン本体５内に設けられている壁部２５に当接または接近し、第１の筒状突出部４１の先端開口部４１ａは、回路基板１または壁部２５によって塞がれている。【選択図】  図４
2013232809.tif 000002
【特許請求の範囲】
【請求項１】
前方に向けて突出した係止用突起を有し、かつ所望の壁面に固定して取り付けられるベース部材と、
内部に回路基板を収容しているとともに、前記回路基板の後方に位置する後壁部には係止用孔部が設けられており、かつこの係止用孔部に対してその後方から前記係止用突起が係入されることにより前記ベース部材に支持されるリモコン本体と、
を備えている、壁面設置型のリモコンであって、
前記リモコン本体の後壁部のうち、前記係止用孔部の周囲から前方に向けて突出し、かつ前記係止用孔部の前方領域の周囲を囲む先端開口状の第１の筒状突出部を、さらに備えており、
この第１の筒状突出部の先端は、前記回路基板またはこの回路基板とは別に前記リモコン本体内に設けられている壁部に当接または接近し、前記第１の筒状突出部の先端開口部は、前記回路基板または前記壁部によって塞がれていることを特徴とする、壁面設置型のリモコン。
【請求項２】
請求項１に記載の壁面設置型のリモコンであって、
前記リモコン本体の後壁部には、前記係止用孔部に前記係止用突起が係入された際にこの係入状態が解除されることを防止するように前記ベース部材に係合させるための係合部を形成する係合部形成用の孔部が設けられているとともに、
この係合部形成用の孔部の周囲から前方に向けて突出し、かつ前記係合部形成用の孔部の前方領域の周囲を囲む先端開口状の第２の筒状突出部がさらに設けられており、
この第２の筒状突出部の先端は、前記回路基板またはこの回路基板とは別に前記リモコン本体内に設けられている壁部に当接または接近し、前記第２の筒状突出部の先端開口部は、前記回路基板または前記壁部によって塞がれている、壁面設置型のリモコン。
【請求項３】
請求項２に記載の壁面設置型のリモコンであって、
前記ベース部材に対する前記係合部の係合動作は、前記係止用孔部に前記係止用突起を係入させた後に前記リモコン本体を前記ベース部材に対して所定方向にスライドさせることにより行なわれる構成とされており、
前記リモコン本体の後壁部には、前記係止用孔部に前記係止用突起を係入させる操作が行なわれたときに前記ベース部材から力を受けて弾性変形し、かつその後に前記スライドが行なわれて前記係合部が前記ベース部材に係合した際に弾性復元を生じることにより前記ベース部材に衝突して衝突音を発生させる衝突音発生用の弾性変形可能部が設けられている、壁面設置型のリモコン。
【請求項４】
請求項１ないし３のいずれかに記載の壁面設置型のリモコンであって、
前記リモコン本体の後壁部には、前記回路基板に設けられている端子部を後方に露出させるための端子用開口部が設けられているとともに、
この端子用開口部の周囲から前方に向けて突出し、かつ前記端子用開口部の前方領域の周囲を囲む先端開口状の第３の筒状突出部がさらに設けられており、
この第３の筒状突出部の先端は、前記回路基板に当接または接近し、前記第３の筒状突出部の先端開口部は、前記回路基板によって塞がれている、壁面設置型のリモコン。
【発明の詳細な説明】
【技術分野】
【０００１】
本発明は、たとえば給湯装置用のリモコンなど、台所やその他の場所の壁面に設置されて用いられる壁面設置型のリモコンに関する。
【背景技術】
【０００２】
給湯装置用のリモコンを台所の壁面に設置する場合には、たとえば金属板を加工して形成されたベース部材を台所の壁面に固定させて取り付けた上で、このベース部材の前面側にリモコン本体を取り付ける手段がよく採用される。この場合、リモコン本体の取り付け作業性を良好にするための一手段として、ベース部材には、前方に向けて突出した係止用突起を設ける一方、リモコン本体の後壁部には、貫通孔状の係止用孔部を設ける手段がある（たとえば、特許文献１を参照）。
このような構成によれば、リモコン本体の係止用孔部に、ベース部材の係止用突起を係入させることによって、リモコン本体をベース部材に掛止させることができる。したがって、リモコン本体を手で支持したまま、このリモコン本体をベース部材にネジ止めするような必要を無くし、リモコン本体の取り付け作業の容易化を図ることが可能である。
【０００３】
しかしながら、従来においては、次に述べるように、改善すべき点があった。
【０００４】
すなわち、ベース部材の係止用突起は、たとえば側面視Ｌ字状に屈曲した形態とされている場合が多く、この係止用突起を係止用孔部に係入させた状態では、係止用孔部の全体は塞がらず、その一部が開口したままとなるのが通例である。このため、リモコンを所望の壁面に設置した状態においては、前記した係止用孔部の開口部分からリモコン本体内に虫などが進入する虞がある。このような虫などの進入は、リモコン本体内を衛生の良好な状態に維持して各部の保護を図る観点からすると好ましいものではなく、適切に防止することが望まれる。
なお、前記したような虫などの進入を防止するための手段としては、リモコン本体に設けられる係止用突起を貫通孔状に形成することに代えて、非貫通孔状の凹部として形成することが考えられる。しかしながら、係止用突起を適切に係止させ得る形態をもつ非貫通孔状の凹部を樹脂成形しようとする場合、樹脂成形用の金型の抜きが難しく、その成形に苦慮することとなる（この点は、後述する図１１の説明も参照）。
【先行技術文献】
【特許文献】
【０００５】
【特許文献１】特開２００８−１２５０５６号公報
【発明の概要】
【発明が解決しようとする課題】
【０００６】
本発明は、前記したような事情のもとで考え出されたものであり、リモコン本体の後壁部に設けられた係止用孔部を介してリモコン本体内に虫が進入するといった虞を、製造の容易な簡易な手段によって適切に防止することが可能な壁面設置型のリモコンを提供することを、その課題としている。
【課題を解決するための手段】
【０００７】
上記の課題を解決するため、本発明では、次の技術的手段を講じている。
【０００８】
本発明により提供される壁面設置型のリモコンは、前方に向けて突出した係止用突起を有し、かつ所望の壁面に固定して取り付けられるベース部材と、内部に回路基板を収容し
ているとともに、前記回路基板の後方に位置する後壁部には係止用孔部が設けられており、かつこの係止用孔部に対してその後方から前記係止用突起が係入されることにより前記ベース部材に支持されるリモコン本体と、を備えている、壁面設置型のリモコンであって、前記リモコン本体の後壁部のうち、前記係止用孔部の周囲から前方に向けて突出し、かつ前記係止用孔部の前方領域の周囲を囲む先端開口状の第１の筒状突出部を、さらに備えており、この第１の筒状突出部の先端は、前記回路基板またはこの回路基板とは別に前記リモコン本体内に設けられている壁部に当接または接近し、前記第１の筒状突出部の先端開口部は、前記回路基板または前記壁部によって塞がれていることを特徴としている。
【０００９】
このような構成によれば、次のような効果が得られる。
まず、リモコン本体の係止用孔部の前方領域を囲むように設けられた第１の筒状突出部の先端開口部が、回路基板または所定の壁部によって塞がれているため、仮に虫などが係止用孔部に進入しても、第１の筒状突出部内からリモコン本体内の他の領域に向けてそれ以上進行することは適切に防止される。したがって、リモコン本体内を衛生に保ち、適切に保護することができる。
また、本発明によれば、第１の筒状突出部の先端開口部は回路基板または所定の壁部を利用して塞がれており、第１の筒状突出部自体は、先端開口状である。このような形態であれば、第１の筒状突出部や係止用孔部の樹脂成形時における型抜きが困難になるといった不具合はなく、係止用孔部については係止用突起を適切に係止させ得る形態としつつ、第１の筒状突出部を容易に成形することが可能となる。第１の筒状突出部を先端非開口状に形成しようとすると、その成形に苦慮することとなるが、本発明によれば、そのような不具合を解消し、製造の容易化ならびにコストの低減化を図ることもできる。
【００１０】
本発明において、好ましくは、前記リモコン本体の後壁部には、前記係止用孔部に前記係止用突起が係入された際にこの係入状態が解除されることを防止するように前記ベース部材に係合させるための係合部を形成する係合部形成用の孔部が設けられているとともに、この係合部形成用の孔部の周囲から前方に向けて突出し、かつ前記係合部形成用の孔部の前方領域の周囲を囲む先端開口状の第２の筒状突出部がさらに設けられており、この第２の筒状突出部の先端は、前記回路基板またはこの回路基板とは別に前記リモコン本体内に設けられている壁部に当接または接近し、前記第２の筒状突出部の先端開口部は、前記回路基板または前記壁部によって塞がれている。
【００１１】
このような構成によれば、リモコン本体の後壁部に設けられた係合部形成用の孔部からリモコン本体内に虫などが進入することも適切に防止することができる。もちろん、係合部をベース部材に係合させることにより、ベース部材に対するリモコン本体の取り付け状態を安定させることができる効果も得られる。
【００１２】
本発明において、好ましくは、前記ベース部材に対する前記係合部の係合動作は、前記係止用孔部に前記係止用突起を係入させた後に前記リモコン本体を前記ベース部材に対して所定方向にスライドさせることにより行なわれる構成とされており、前記リモコン本体の後壁部には、前記係止用孔部に前記係止用突起を係入させる操作が行なわれたときに前記ベース部材から力を受けて弾性変形し、かつその後に前記スライドが行なわれて前記係合部が前記ベース部材に係合した際に弾性復元を生じることにより前記ベース部材に衝突して衝突音を発生させる衝突音発生用の弾性変形可能部が設けられている。
【００１３】
このような構成によれば、リモコン本体をベース部材に取り付ける際には、作業者が所定の衝突音を確認することによって、係合部がベース部材に係合したことを適切に察知することが可能となる。係合部はリモコン本体の後壁部に設けられており、この係合部がベース部材に係合しているか否かは直接目視することが難しいものの、前記した衝突音が発生したか否かによって係合部がベース部材に係合したか否かを的確に判断することが可能
となる。
【００１４】
本発明において、好ましくは、前記リモコン本体の後壁部には、前記回路基板に設けられている端子部を後方に露出させるための端子用開口部が設けられているとともに、この端子用開口部の周囲から前方に向けて突出し、かつ前記端子用開口部の前方領域の周囲を囲む先端開口状の第３の筒状突出部がさらに設けられており、この第３の筒状突出部の先端は、前記回路基板に当接または接近し、前記第３の筒状突出部の先端開口部は、前記回路基板によって塞がれている。
【００１５】
このような構成によれば、リモコン本体の後壁部に設けられた端子用開口部からリモコン本体内に虫などが進入することも適切に防止することが可能である。
【００１６】
本発明のその他の特徴および利点は、添付図面を参照して以下に行なう発明の実施の形態の説明から、より明らかになるであろう。
【図面の簡単な説明】
【００１７】
【図１】本発明に係る壁面設置型のリモコンの斜視図である。
【図２】図１に示す壁面設置型のリモコンの分解正面斜視図である。
【図３】図１に示す壁面設置型のリモコンの分解背面斜視図である。
【図４】（ａ）〜（ｃ）は、図１に示す壁面設置型のリモコンの壁面への取り付け動作手順を示す要部断面図であり、（ｃ）は、図１のIV−IV断面図に相当する。
【図５】図１のＶ−Ｖ断面図である。
【図６】本発明の他の例を示す要部断面図である。
【図７】（ａ）は、本発明の他の例を示す分解背面斜視図であり、（ｂ）は、（ａ）の要部拡大図であり、（ｃ）は、（ｂ）のVII−VII断面図である。
【図８】（ａ）は、図７に示すリモコンの取り付け途中状態を示す背面斜視図であり、（ｂ）は、（ａ）の要部拡大図であり、（ｃ）は、（ｂ）のVIIIc−VIIIc断面図であり、（ｄ）は、図７に示すリモコンの取り付け完了状態を示す背面斜視図であり、（ｅ）は、（ｄ）の要部拡大図であり、（ｆ）は、（ｅ）のVIIIf−VIIIf断面図である。
【図９】(ａ)は、本発明の他の例を示す背面斜視図であり、(ｂ)は、(ａ)の要部拡大図である。
【図１０】(ａ)，（ｃ）は、本発明の他の例を示す背面斜視図であり、(ｂ)は、(ａ)の矢視Xb要部背面図であり、（ｄ）は、（ｃ）の矢視Xd要部背面図である。
【図１１】仮想の対比例を示す要部断面図である。
【発明を実施するための形態】
【００１８】
以下、本発明の好ましい実施の形態について、図面を参照して具体的に説明する。
【００１９】
図１〜図５は、本発明が適用された壁面設置型のリモコンの一例を示している。
本実施形態の壁面設置型のリモコンＡ１（以下「リモコンＡ１」と適宜略称する）は、給湯装置用のリモコンであり、図１に示すように、たとえば台所の壁面９０に取り付けられて使用される。リモコンＡ１は、図２によく表われているように、壁面９０に固定して取り付けられるベース部材６と、リモコン本体５とを備えている。リモコン本体５は、回路基板１を収容するケース２に、化粧カバー３およびリアケースカバー４が組み付けられた構成である。
【００２０】
回路基板１は、給湯装置の運転条件の設定処理などを実行するデータ処理回路を構成する複数の電気・電子部品が基板本体に実装されたものである。この回路基板１の前部には、たとえば液晶表示器を用いたディスプレイ１０や、操作スイッチ用のコンタクトスイッチ機構部(図示略)などが搭載されている。
【００２１】
ケース２、化粧カバー３、およびリアケースカバー４は、いずれも樹脂製である。ケース２は、背面開口状であり、回路基板１はケース２の背面開口部２２からケース２内に収容されて取り付けられる。ケース２には、ディスプレイ１０の表示部１０ａを目視可能とする透明窓部２０や、複数の操作スイッチ２１が設けられている。化粧カバー３は、枠状または背面開口のケース状であり、ケース２の前面部および側面部を適宜覆うようにケース２にその正面側から外嵌装着される。この化粧カバー３には、ケース２の透明窓部２０や複数の操作スイッチ２１を外部に露顕または露出させるための開口部３０が設けられている。この化粧カバー３には、前記した操作スイッチ２１とは別の操作スイッチ３１を設けた構成とすることも可能である。
【００２２】
リアケースカバー４は、回路基板１よりも後方に位置してケース２の背面開口部２２を塞ぐようにケース２に嵌合装着される部材であり、正面視矩形の略板状である。リモコン本体５が組み立てられた状態においては、このリアケースカバー４の主要部である板状部分がリモコン本体５の後壁部４０である。この後壁部４０には、第１ないし第３の筒状突出部４１〜４３などが設けられているが、この点については後述する。
【００２３】
ベース部材６は、金属板にプレス加工などを施して構成されたものであり、貫通孔６０ａ，６０ｂに挿通されるネジ体９８を利用して壁面９０に固定される。このベース部材６には、このベース部材６の左右両側縁部から前方に向けて突出した側面視略Ｌ字状の複数（たとえば４つ）の係止用突起６５が設けられている。
【００２４】
図３によく表われているように、後壁部４０には、複数の係止用突起６５に対応する複数の係止用孔部４５、一対の係合部４８を形成するための一対の孔部４６（本発明でいう「係合部形成用の孔部」の一例に相当し、図７〜図９により拡大した状態で図示）、および端子用開口部４７が設けられている。
【００２５】
係止用孔部４５は、係止用突起６５を係入させるための部位であり、上下方向に延びたスリット状である。この係止用孔部４５は、図４（ａ），（ｂ）に示すように、係止用突起６５をその後方から水平方向に進入させることが可能な上下幅に形成されている。図４（ｂ）に示す状態において、リモコン本体５を下降させると、同図（ｃ）に示すように、係止用突起６５の先端部を係止用孔部４５の上縁部に係止させることが可能である。図３に示すように、係止用孔部４５は、好ましくは、下部よりも上部の方が狭幅に形成されており、係止用孔部４５の上縁部に係止用突起６５を係止させた際には、リモコン本体５の左右水平方向において係止用孔部４５に大きな隙間（がたつき）が生じないように構成されている。加えて、リモコン本体５の前後方向にもがたつきが生じないように構成されている。ただし、図４（ｃ）に示すように、係止用孔部４５の下部側の一部は開口したままとなる。この開口部分は、虫などの進入路となる可能性がある。
【００２６】
図２および図４によく表われているように、後壁部４０には、複数の第１の筒状突出部４１が設けられている。この第１の筒状突出部４１は、係止用孔部４５の周囲から前方に向けて突出し、係止用孔部４５の前方領域の周囲を囲む略角筒状である。この第１の筒状突出部４１は、先端開口部４１ａを有するが、この先端開口部４１ａは、第１の筒状突出部４１の先端が回路基板１の後面部に当接していることによって回路基板１により塞がれている。このことにより、係止用孔部４５に仮に虫が進入したとしても、リモコン本体５内にそれ以上進入することを防止することが可能となる。第１の筒状突出部４１は、回路基板１の左右両側縁近傍のうち、部品実装領域を避けた箇所に当接している。
【００２７】
後壁部４０に設けられた一対の係合部４８は、リモコン本体５の前後方向に弾性変形可能であって、後方に向けて突出した凸部４８ａを有している。係合部４８は、図４（ｂ）
に示すように、リモコン本体５の係止用孔部４５に係止用突起６５が係入される際には、矢印Ｎ１に示すように、ベース部材６によって前方に押圧される。次いで、図４（ｃ）に示すように、リモコン本体５が下方にスライドされ、凸部４８ａがベース部材６の下縁部６１の下側に位置すると、その時点で係合部４８の下部は弾性復元力によって後方に変位し、凸部４８ａがベース部材６の下縁部６１に係合するようになっている。このような係合を生じると、リモコン本体５をベース部材６に相対させて上昇移動させることが困難となり、係止用突起６５が係止用孔部４５の上縁部に係止した状態を適切に維持させることが可能となる。
【００２８】
係合部４８は、後壁部４０に正面視Ｕ字状または略コ字状の孔部４６を設けることにより形成されているが、この孔部４６からリモコン本体５内への虫などの進入を防止するための手段として、第２の筒状突出部４２が設けられている（図４では、第１および第２の筒状突出部４１，４２を便宜上同一断面上に示しており、第２の筒状突出部４２については下部側のみが示されている。この点は、後述の図６も同様）。第２の筒状突出部４２は、孔部４６の周囲から前方に向けて突出し、孔部４６の前方領域の周囲を囲む先端開口の角筒状である。この第２の筒状突出部４２の先端も、第１の筒状突出部４１と同様に回路基板１の後面部に当接しており、その先端開口部４２ａは回路基板１によって塞がれている。第２の筒状突出部４２は、回路基板１の下縁近傍のうち、部品実装領域を避けた箇所に当接している。
【００２９】
図５に示すように、端子用開口部４７は、回路基板１の後面部に設けられた端子部１５を後壁部４０の後側に露出させるための部位である。端子部１５に接続された配線コードＣは、ベース部材６の開口部６４、および壁部９に設けられた開口部９１に通されて、給湯装置に接続される。なお、図３に示すように、端子用開口部４７は、後壁部４０に設けられた配線コード配索用凹部４０ａの一部に設けられている。本実施形態では、端子用開口部４７からリモコン本体５内に虫などが進入することも防止されており、そのための手段として、図５に示すように、第３の筒状突出部４３が設けられている。この第３の筒状突出部４３は、端子用開口部４７の周囲から前方に向けて突出し、端子用開口部４７の前方領域の周囲を囲む先端開口の角筒状である。この第３の筒状突出部４３の先端も、第１および第２の筒状突出部４１，４２と同様に回路基板１の後面部に当接しており、その先端開口部４３ａは回路基板１によって塞がれている。
【００３０】
後壁部４０には、ネジ体９８との干渉を回避するための凹部４９ａ，４９ｂも設けられている。これらの凹部４９ａ，４９ｂは、係止用孔部４５とは異なり、係止用突起６５を係止可能とするような構造とされている必要はなく、ネジ体９８の頭部が単に進入し得るように形成されていればよい。したがって、これら凹部４９ａ，４９ｂについては、非貫通孔状であるものの、その成形に苦慮するといった不具合はない。
【００３１】
次に、前記したリモコンＡ１の作用について説明する。
【００３２】
まず、ベース部材６に対するリモコン本体５の取り付け手順は、図４を参照して説明したように、リモコン本体５の各係止用孔部４５にベース部材６の係止用突起６５を係入させた後に、リモコン本体５をスライド下降させるだけでよい。この操作により、リモコン本体５をベース部材６に掛止させることができる。また、係合部４８がベース部材６の下縁部６１に係合することによってリモコン本体５の上昇が阻止されるために、ベース部材６に対するリモコン本体５の掛止取付け状態が不用意に解除されないようにすることもできる。
【００３３】
図４（ｃ）に示したリモコンＡ１の取り付け状態においては、各係止用孔部４５の下部が係止用突起６５によって塞がれておらず、開口状態にあるために、この部分から第１の
筒状突出部４１内に、たとえば虫が進入する可能性がある。これに対し、第１の筒状突出部４１は、既述したように、その先端開口部４１ａが回路基板１によって塞がれた状態にあるために、第１の筒状突出部４１に進入した虫がそれ以上リモコン本体５内に進行することは適切に防止される。勿論、虫以外のダスト類などの進入も防止することができる。リモコン本体５の後壁部４０には、係止用孔部４５以外の孔部として、孔部４６および端子用開口部４７も設けられているが、やはりこれらに対応して設けられた第２および第３の筒状突出部４２，４３の先端開口部４２ａ，４３ａは、回路基板１によって塞がれているために、これらの部分からリモコン本体５内に虫などが不当に進入することも防止される。このようなことから、リモコン本体５内を衛生の良好な状態に維持し、適切に保護することができる。
【００３４】
第１ないし第３の筒状突出部４１〜４３の先端開口部４１ａ〜４３ａを閉塞するための手段として、回路基板１が利用されており、それ専用の部材を別途用いる必要はない。したがって、その構成は合理的であり、構造の複雑化なども適切に回避することができる。また、第１ないし第３の筒状突出部４１〜４３は、いずれも先端開口状に形成すればよいために、その成形も容易である。
図１１には、本発明との対比例（仮想の対比例）を示している。この対比例では、第１の筒状突出部４１Ａが先端に壁部４１０を有する非開口状の凹状部として形成されている。しかしながら、このような構成によれば、第１の筒状突出部４１Ａを形成しつつ、係止用孔部４５の上縁部に係止用突起６５を係止させるための下向き凸部４５ａをさらに形成することは容易ではない（樹脂成形用の金型の抜きが困難）。これに対し、本実施形態のように、第１の筒状突出部４１を先端開口状とすれば、そのような不具合はなく、樹脂成形の容易化を図り、製造コストを廉価にすることもできる。
【００３５】
図６〜図１０は、本発明の他の実施形態を示している。これらの図において、前記実施形態と同一または類似の要素については、前記実施形態と同一の符号を付し、重複説明は省略する。
【００３６】
図６に示すリモコンＡ２においては、ケース２にその側壁から内側に突出する壁部２５が設けられており、リモコン本体５のたとえば下部寄りに位置する第１の筒状突出部４１の先端が壁部２５の後面に当接し、この壁部２５によって第１の筒状突出部４１の先端開口部４１ａが塞がれている。第２の筒状突出部４２も同様であり、その先端開口部４２ａは壁部２５によって塞がれている。
【００３７】
本実施形態のように、第１および第２の筒状突出部４１，４２の先端開口部４１ａ，４２ａを、ケース２に設けられた壁部２５を利用して塞いだ場合であっても、リモコン本体５内への虫などの進入を適切に防止することが可能である。本実施形態から理解されるように、本発明では、第１および第２の筒状突出部の先端開口部を塞ぐための手段として、回路基板に代えて、リモコン本体内に別途設けられた壁部を用いてもよい。第１および第２の筒状突出部４１，４２を後壁部４０の外周縁寄りの位置に偏らせて設ければ、壁部２５についてもリモコン本体５の外周縁寄りの位置に偏らせて設ければよいこととなり、壁部２５の小サイズ化を図る上で好ましいものとなる。
【００３８】
図７に示すリモコンＡ３においては、リモコン本体５の後壁部４０（リアケースカバー４の板状部分）に、衝突音発生用の一対の弾性変形可能部５１が設けられている。この弾性変形可能部５１は、リモコン本体５がベース部材６に対して適切に取り付けられた際に所定の音を発生させて、これを取り付け作業者に察知させるための部分である。この弾性変形可能部５１は、たとえば正面視Ｌ字状であり、後壁部４０に２条のＬ字状スリットを一連に繋げた形態をもつスリット５２を設けることによって形成されている。弾性変形可能部５１は、その上部が後壁部４０に繋がっており、後壁部４０の前後厚み方向に弾性変
形可能である。弾性変形可能部５１の上部および下部には、凸部５１ａ，５１ｂが形成されている。図７（ｃ）に示すように、凸部５１ａの高さＨ１は、凸部５１ｂの高さＨ２よりも高くされている。
【００３９】
スリット５２からリモコン本体５内に虫などが進入することを防止するための手段として、後壁部４０には、第４の筒状突出部４４が設けられている。第４の筒状突出部４４は、スリット５２の周囲から前方に向けて突出し、スリット５２の前方領域の周囲を囲む先端開口の筒状である。図示説明は省略するが、本実施形態とは異なり、第４の筒状突出部４４については、係合部４８を形成する孔部４６に対応して設けられた第２の筒状突出部４２と共用し、第２および第４の筒状突出部４２，４４が一体化（１つの筒状突出部として形成）された構成とすることもできる。第４の筒状突出部４４は、回路基板１の後面部に当接し、その先端開口部４４ａは回路基板１によって塞がれる。
【００４０】
本実施形態のリモコンＡ３においては、図８（ａ）に示すように、リモコン本体５の各係止用孔部４５にベース部材６の係止用突起６５を係入させた際には、同図（ｂ），（ｃ）に示すように、弾性変形可能部５１の凸部５１ａがベース部材６に当接し、前方に押圧される。このため、弾性変形可能部５１は前方に撓み、凸部５１ｂとベース部材６との間には寸法Ｌ３の隙間が生じる。次いで、図８（ｄ）に示すように、リモコン本体５をベース部材６に相対させてスライド下降させると、同図（ｅ），（ｆ）に示すように、係合部４８がベース部材６の下縁部６１に係合するのと略同じタイミングで、弾性変形可能部５１の凸部５１ａがベース部材６の下縁部よりも下方に位置することとなって、弾性変形可能部５１の下部は、その弾性復元力によって後方に振れる。すると、凸部５１ｂがベース部材６に勢いよく衝突し、衝突音が発生する。リモコンＡ３を壁面９０に設置する場合、係合部４８とベース部材６とが適切に係合したか否は、外部からの目視によって確認することは困難である。これに対し、本実施形態によれば、弾性変形可能部５１の凸部５１ｂがベース部材６に衝突する際の衝突音を確認することによって、係合部４８がベース部材６に対して適切に係合したことを察知し、リモコンＡ３の取付け作業をより的確に行なうことが可能となる。
【００４１】
本実施形態では、弾性変形可能部５１が左右一対で設けられており、これら一対の弾性変形可能部５１のそれぞれによる衝突音を同時に発生させることが可能である。ただし、これに代えて、衝突音を意図的にずらして発生させるようにしてもよい。そのための一手段としては、たとえば図８（ｄ）に示す左右一対の弾性変形可能部５１の水平方向の長さＬ１，Ｌ２を相違させ、左側の弾性変形可能部５１と右側の弾性変形可能部５１とでは、撓み変形状態から弾性復元する際のストロークを相違させるといった手段を採用することができる。このような構成によれば、一対の係合部４８の双方がベース部材６に適切に係合すると、その時点で凸部５１ｂがベース部材６に衝突する音が、２回連続して聞こえることとなり、衝突音の確認がより容易となる。
【００４２】
図９に示すリモコンＡ４においては、ベース部材６のうち、衝突音発生用の弾性変形可能部５１の凸部５１ｂが当接する部分６９は、細幅状の部分６８を介してベース部材６の他の部分と繋がった構成とされている。このような構成によれば、凸部５１ｂが前記した部分６９に衝突した際にこの部分６９が振動し易くなるため、衝突音を大きくし、その音をより聞き易くすることができる。
【００４３】
図１０に示すリモコンＡ５においては、リモコン本体５の後壁部４０に、後方に向けて突出した突起状の弾性変形可能部５４が設けられ、この弾性変形可能部５４がベース部材６に設けられた長孔６７に進入している。弾性変形可能部５４は、その軸長方向に延びるスリット５４ａを介して先端寄り部分が半割り状とされており、拡縮変形可能である。長孔６７は、上下方向に延びているが、下部６７ａの幅は他の部分よりも大きくされている
。
【００４４】
本実施形態においては、図１０（ａ）に示すように、係止用孔部４５に係止用突起６５を係入させた状態では、同図（ｂ）に示すように、弾性変形可能部５４が長孔６７内において圧縮されている。次いで、同図（ｃ）に示すように、リモコン本体５を下降させ、係合部４８がベース部材６の下縁部６１に係合すると、その時点で、同図（ｄ）に示すように、弾性変形可能部５４が長孔６７の下部６７ａに位置し、元の自然状態に弾性復帰する。その際、この弾性変形可能部５４は、ベース部材６に衝突し、衝突音が発生する。このような構成によれば、図７〜図９に示した実施形態とは異なり、所定の衝突音を発生させるための手段として、リモコン本体５の後壁部４０には、虫などの進入経路となる虞がある貫通孔を設ける必要がなく、虫などの進入防止対策手段を簡素化することができる。
【００４５】
本発明は、上述した実施形態の内容に限定されない。本発明に係る壁面設置型のリモコンの各部の具体的な構成は、本発明の意図する範囲内において種々に設計変更自在である。
【００４６】
本発明においては、第１の筒状突出部の先端を回路基板（またはこれに代わる壁面）に当接させる場合、たとえば弾力性を有する比較的軟質な樹脂層などを回路基板に設けておき、前記樹脂層に第１の筒状突出部の先端を当接させるようにしてもよい。このような構成によれば、第１の筒状突出部と回路基板との間に隙間を生じ難くする効果が期待できる。この点は、第２および第３の筒状突出部についても同様である。
【００４７】
本発明においては、第１の筒状突出部が必ずしも回路基板(またはこれに代わる壁面)に当接していなくてもよく、それらの間に微小隙間（虫などの進入を防止し得る寸法の隙間）が形成されるようにそれらを互いに接近させた構成とすることもできる。このような構成であっても、虫などの進入を防止し、本発明の目的を達成可能であり、第１の筒状突出部の先端開口部が実質的に塞がれているため、本発明の技術的範囲に包摂される。この点は、第２および第３の筒状突出部についても同様である。
【００４８】
本発明でいう係止用突起および係止用孔部の具体的な形態、数、配置などは限定されない。本発明に係るリモコンは、リモコン本体がベース部材に掛止されて支持されるが、これに加えて、他の支持手段（ネジ止め手段など）が併用されていてもよい。たとえば、リモコン本体の上部については、係止用突起と係止用孔部との係入作用によってベース部材に掛止されている一方、リモコン本体の下部については、ベース部材に対してネジ止めされて固定されているといった構成とすることも可能である。
【００４９】
本発明でいうリモコン本体は、回路基板を収容するケース、化粧カバー、およびリアケースカバーを組み合わせて構成されたものに限らず、たとえば回路基板を収容する一面開口状のケースと、このケースの開口部を塞ぐカバー部材とを組み合わせただけの構成とすることもできる。したがって、リモコン本体の後壁部についても、前記したようなリアケースカバーを用いて構成されたものに限定されない。たとえば、背板部を有し、かつ前面が開口した形態のケースに回路基板を収容させた場合には、このケースの背板部をリモコン本体の後壁部とすることができる。ベース部材は、前方に向けて突出した係止用突起を少なくとも１つ有し、かつ台所やその他の所望の壁面に固定して取り付けられるものであればよく、その具体的な材質なども限定されるものではない。本発明は、給湯装置用のリモコンに限らず、壁面に取付けられるタイプのリモコンであれば、種々のリモコンに適用することが可能である。
【符号の説明】
【００５０】
Ａ１〜Ａ５  壁面設置型のリモコン
１  回路基板
２  ケース
３  化粧カバー
４  リアケースカバー
５  リモコン本体
６  ベース部材
２５  壁部（リモコン本体の）
４０  後壁部（リモコン本体の）
４１〜４３  第１ないし第３の筒状突出部
４１ａ〜４３ａ  先端開口部（第１ないし第３の筒状突出部の）
４５  係止用孔部
４６  孔部（係合部形成用の孔部）
４７  端子用開口部
４８  係合部
５１，５４  弾性変形可能部（衝突音発生用の）
６５  係止用突起
９０  壁面
【図１】
2013232809.tif 000003
【図２】
2013232809.tif 000004
【図３】
2013232809.tif 000005
【図４】
2013232809.tif 000006
【図５】
2013232809.tif 000007
【図６】
2013232809.tif 000008
【図７】
2013232809.tif 000009
【図８】
2013232809.tif 000010
【図９】
2013232809.tif 000011
【図１０】
2013232809.tif 000012
【図１１】
2013232809.tif 000013